(57)【要約】【課題】ストップライト、テールライト及び方向指示灯等の異なる機能のために、共通のリフレクタに２つ以上の別々に制御可能なＬＥＤを用いる技術を提供する。【解決手段】自動車のリアランプのために単一の反射型キャビティに２つ以上のＬＥＤを組み合わせる種々の技術が開示される。ＬＥＤは、ストップライト、方向指示灯及びテールランプのような異なる機能を実現すべく２つ以上の異なる色とすることができる。一実施形態では、ＬＥＤは側面放射レンズを有し放物線状のリフレクタにおいて同軸上に配置される。ＬＥＤは互いに対向するように同じ方向に又は両方を組み合わせて取り付けることができる。ＬＥＤは共通のヒートシンクを共有しうる。第２のリフレクタをより大きいリフレクタの内部に配置することができ、第１のＬＥＤはより大きいリフレクタの焦点付近に取り付けられ、第２のＬＥＤは内部リフレクタの焦点付近に取り付けられる。【選択図】図１
2008053235.tif 000002
【特許請求の範囲】
【請求項１】
自動車用リアランプ・アセンブリであって、
第１の側面放射レンズを有する第１の発光ダイオード（ＬＥＤ）と、
第２の側面放射レンズを有する第２のＬＥＤと、
前記第１のＬＥＤ及び前記第２のＬＥＤを少なくとも部分的に囲む第１のリフレクタと、
を具備し、
前記第１のＬＥＤ及び前記第２のＬＥＤが、前記リフレクタ内において実質的に同軸上に配置され、自動車用リアランプ・アセンブリにおける動作のために別々に制御される、
ことを特徴とするアセンブリ。
【請求項２】
前記第１のＬＥＤが第１の色の光を発し、前記第２のＬＥＤが該第１の色とは異なる第２の色の光を発する、請求項１に記載のアセンブリ。
【請求項３】
前記第１の側面放射レンズ及び前記第２の側面放射レンズは、該第１のＬＥＤ及び該第２のＬＥＤが前記リフレクタ内において同軸上に配置されたときに互いに対向する上面を有する、請求項１に記載のアセンブリ。
【請求項４】
前記第１のＬＥＤが前記リフレクタの基部に接続されたヒートシンク上に取り付けられる、請求項１に記載のアセンブリ。
【請求項５】
前記リフレクタが実質的に放物線状であり、前記第１のＬＥＤ及び前記第２のＬＥＤが、実質的に該リフレクタの焦点に配置される、請求項１に記載のアセンブリ。
【請求項６】
前記第１のＬＥＤ及び前記第２のＬＥＤに接続された電流コントローラをさらに具備する、請求項１に記載のアセンブリ。
【請求項７】
前記第１のＬＥＤが自動車用テールライトであり、前記第２のＬＥＤがテールライト以外のものである、請求項１に記載のアセンブリ。
【請求項８】
前記第２のＬＥＤがストップライトである、請求項７に記載のアセンブリ。
【請求項９】
前記第２のＬＥＤが方向指示灯である、請求項７に記載のアセンブリ。
【請求項１０】
前記第１のＬＥＤ及び前記ＬＥＤが同一の方向に実質的に同軸上に取り付けられ、これによって、前記第１の側面放射レンズ及び前記第２の側面放射レンズが互いに対向しないようになっている、請求項１に記載のアセンブリ。
【請求項１１】
前記第１のリフレクタによって少なくとも部分的に囲まれた第２のリフレクタをさらに具備し、前記第２のＬＥＤが前記第２のリフレクタ内に取り付けられ、これによって、前記第１のリフレクタにより発せられた光が、前記第２のリフレクタにより発せられた光を実質的に囲む、請求項１に記載のアセンブリ。
【請求項１２】
前記第１のＬＥＤ及び前記第２のＬＥＤが、同一の方向に実質的に同軸上に取り付けられ、これによって、前記第１の側面放射レンズ及び前記第２の側面放射レンズが互いに対向しないようになっており、
さらに前記第１のＬＥＤと前記第２のＬＥＤとの間にヒートシンクを具備する、請求項１１に記載のアセンブリ。
【請求項１３】
第３の側面放射レンズを有する第３のＬＥＤをさらに具備し、
該第３のＬＥＤが、前記第１のリフレクタにより部分的に囲まれ、前記第１のＬＥＤ及び前記第２のＬＥＤと実質的に同軸上に配置され、前記第１のＬＥＤ及び前記第２のＬＥＤとは別々に制御される、請求項１に記載のアセンブリ。
【請求項１４】
前記第３のＬＥＤ及び前記第１のＬＥＤが同一の方向に取り付けられ、該第３のＬＥＤ及び前記第２のＬＥＤが反対の方向に取り付けられ、前記第１の側面放射レンズの上部が、前記第２の側面放射レンズの上部に対向する、請求項１３に記載のアセンブリ。
【請求項１５】
前記第１のリフレクタにより少なくとも部分的に囲まれた第２のリフレクタをさらに具備し、前記第３のＬＥＤが前記第２のリフレクタ内に取り付けられ、これによって、前記第１のリフレクタによって発せられた光が、前記第２のリフレクタによって発せられた光を実質的に囲むようになっている、請求項１３に記載のアセンブリ。
【請求項１６】
前記第３のＬＥＤ及び前記第１のＬＥＤが同一の方向に取り付けられ、該第３のＬＥＤ及び前記第２のＬＥＤが反対の方向に取り付けられ、前記第１の側面放射レンズの上部が前記第２の側面放射レンズの上部に対向し、
さらに前記第３のＬＥＤ及び前記第２のＬＥＤの両方から放熱を行うために該第３のＬＥＤと該第２のＬＥＤとの間にヒートシンクをさらに具備する、請求項１３に記載のアセンブリ。
【請求項１７】
前記第３のＬＥＤが、前記第１のＬＥＤ及び前記第２のＬＥＤにより発せられる光の色とは異なる色の光を発する、請求項１３に記載のアセンブリ。
【請求項１８】
前記第１のリフレクタが実質的に円形状である、請求項１に記載のアセンブリ。
【請求項１９】
前記第１のリフレクタが実質的に矩形状である、請求項１に記載のアセンブリ。
【請求項２０】
前記第１のリフレクタ内の開口部の上にある拡散レンズをさらに具備する、請求項１に記載のアセンブリ。
【請求項２１】
自動車用リアランプ・アセンブリであって、
第１の側面放射レンズを有する第１の発光ダイオード（ＬＥＤ）と、
該第１のＬＥＤを少なくとも部分的に囲む第１のリフレクタと、
第２の側面放射レンズを有する第２のＬＥＤと、
前記第１のリフレクタによって少なくとも部分的に囲まれた第２のリフレクタと、
を具備し、
前記第２のＬＥＤが前記第２のリフレクタ内に取り付けられ、これによって、前記第１のＬＥＤによって生成され前記第１のリフレクタによって発せられた光が、前記第２のリフレクタによって発せられた光を実質的に囲み、
前記第１のＬＥＤ及び前記第２のＬＥＤが、異なる情報を伝えるように、自動車用リアランプ・アセンブリにおける動作のために別々に制御可能である、
ことを特徴とするリアランプ・アセンブリ。
【請求項２２】
前記第２のリフレクタの中心線が、前記第１のリフレクタの中心線と実質的に合わされている、請求項２１に記載のアセンブリ。
【請求項２３】
側面放射レンズを有する第３のＬＥＤをさら具備し、
該第３のＬＥＤは、前記第１のリフレクタが前記第３のＬＥＤを少なくとも部分的に囲むように、かつ、該第３のＬＥＤによって生成され該第１のリフレクタによって発せられた光が前記第２のリフレクタによって発せられた光を実質的に囲むように、取り付けられる、請求項２１に記載のアセンブリ。
【請求項２４】
側面放射レンズを有する第４のＬＥＤをさらに具備し、
該第４のＬＥＤは、前記第１のリフレクタが該第４のＬＥＤを少なくとも部分的に囲むように、かつ、該第４のＬＥＤによって生成され該第１のリフレクタによって発せられた光が前記第２のリフレクタによって発せられた光を実質的に囲むように、取り付けられる、請求項２３に記載のアセンブリ。
【請求項２５】
前記第１のＬＥＤがテールライトのために赤色の光を発し、前記第２のＬＥＤがストップライトのために赤色の光を発し、前記第３のＬＥＤが方向指示灯のために琥珀色の光を発する、請求項２４に記載のアセンブリ。
【請求項２６】
前記第４のＬＥＤが方向指示灯のために琥珀色の光を発する、請求項２５に記載のアセンブリ。
【発明の詳細な説明】
【技術分野】
【０００１】
本発明は、自動車のリアランプにおいて発光ダイオード（ＬＥＤ）を用いることに関し、特定的には、ストップライト、テールライト、及び方向指示灯などの異なる機能のために、共通のリフレクタにおいて２つ又はそれ以上の別個に制御可能なＬＥＤを用いるための技術に関する。
【背景技術】
【０００２】
典型的な自動車は、自動車の後部の両端にリアランプ・アセンブリを有する。各々のアセンブリは、一般に、多数の反射型ハウジング内に取り付けられた、白熱電球などの少なくとも３つの光源を有する。第１の電球は、テールライトとして働き、前部ヘッドライト又は走行用ライトが点灯されたときに点灯する。テールライトは、夜間に自動車の境界を示す。第２の電球は、ストップライトとして働き、運転者がブレーキペダルを踏んだときに点灯する。第３の電球は方向指示灯であり、これは、運転者が方向指示灯を作動させたときに断続的に点灯する。一般に、電球は白色光を放射し、有色の拡散フィルタがリフレクタの上に適合され、ストップライト、テールライト、及び方向指示灯のための赤色、オレンジ色、又は琥珀色の光を生成する。
寿命をより長いくし、より迅速に電源を入れるために、白熱電球をＬＥＤと交換することが知られている。
【０００３】
一般に、所望の光放射パターンを達成するために、各々の光源は、リフレクタの焦点に又は焦点付近に配置されるので、リアランプ・アセンブリには、各々の光源について１つの多数のリフレクタがある。多数のリフレクタがあること及び光源の分離により、比較的大きく高価なリアライト・アセンブリがもたらされる。
【発明の開示】
【発明が解決しようとする課題】
【０００４】
自動車のリアランプ・アセンブリのサイズ及びコストを低減させることが望ましい。小さい寸法のＬＥＤは、これらの要望に応じるのに役立つ。
【課題を解決するための手段】
【０００５】
自動車のリアランプ・アセンブリとして用いるために、単一の反射型キャビティにおいて２つ又はそれ以上の別個に制御可能なＬＥＤを組み合わせるための種々の技術が、ここに説明される。ＬＥＤは、ストップライト、方向指示灯、及びテールライトのような異なる機能を実行するために、２つ又はそれ以上の異なる色にすることができる。
１つの実施形態においては、各々のＬＥＤは側面放射レンズを有するので、ほとんど全ての光が、ＬＥＤパッケージの側部から放射される。側面放射ＬＥＤを用いることによって、全ての光がリフレクタの壁に反射されるので、光の放射パターンは、リフレクタの生成物である。したがって、光の方向をより高度に制御することができ、必要とされる放射パターンをより効率的に生成することが可能になる。
【０００６】
１つの実施形態においては、２つのＬＥＤが、単一のリフレクタの共通の中心線に沿って同軸上に取り付けられ、互いに向かい合っている。両方のＬＥＤの側面放射レンズは、共通のリフレクタのほぼ焦点のところにある。したがって、各ＬＥＤからの光は、リフレクタの外部レンズにわたって類似した放射プロファイルを生成する。各ＬＥＤの輝度及び各ＬＥＤの色は、各ＬＥＤの特定の機能に適したように選択される。１つの実施形態においては、ＬＥＤの１つは赤色又はオレンジ色の光を放射し、ストップライト及びテールライトの両方のために使用される。運転者がブレーキペダルを踏んだとき、より大きい電流がＬＥＤに適用される。他方のＬＥＤは、方向指示灯のために琥珀色とすることができる。
別の実施形態においては、１つのＬＥＤは、比較的大きいリフレクタの焦点付近に取り付けられ、第２のＬＥＤは、中心線に沿ってより大きいリフレクタ内に取り付けられたより小さいリフレクタの焦点付近に取り付けられる。ＬＥＤは、共通のヒートシンクを共有することができる。
【０００７】
他の実施形態においては、３つのＬＥＤが中心線に沿って取り付けられ、そこで、２つのＬＥＤは互いに向かい合い、第３のＬＥＤは、中心線に沿ってより大きいリフレクタ内に配置されたより小さいリフレクタ内に配置される。
別の実施形態においては、３つのＬＥＤが、共通のヒートシンク上に取り付けられ、比較的大きいリフレクタ内に取り付けられる。単一のＬＥＤが、中心線に沿って大きいリフレクタ内に取り付けられたより小さいリフレクタの焦点付近に取り付けられる。上部のＬＥＤは赤色であり、テールライト及びストップライトのために用いられる。下部の３つのＬＥＤは、テールライトのための１つの赤色ＬＥＤ、及び方向指示灯のための２つの琥珀色のＬＥＤからなる。ＬＥＤにおいて単一の機能を倍加することは、その機能についてのランプの光出力を増大させる。
他の実施形態が説明される。
【発明を実施するための最良の形態】
【０００８】
図１は、リアランプ・アセンブリの第１の実施形態の断面図である。このアセンブリは、２つのＬＥＤ１２及び１４を含む。各々のＬＥＤ１２又は１４は、サブマウント上に取り付けられ、パッケージされた半導体ＬＥＤチップを含む。パッケージは、ＬＥＤチップを保護し、同じくＬＥＤ１２又は１４の部品である小型のプリント基板（ＰＣＢ）にはんだ付けするための端子を提供する。サブマウントは、セラミックとしても、又は他の材料としてもよい。半導体チップ上のアノード及びカソード金属パッドは、サブマウント上の金属パッドに電気的に接続される。次いで、サブマウントは、小型のＰＣＢ上に取り付けられ、ここで、ＰＣＢは、電流源などの電源への接続のための電気コネクタを含む。ＰＣＢは、ヒートシンクとして働くための絶縁金属層を含むことができる。Ｐｈｉｌｉｐｓ−Ｌｕｍｉｌｅｄｓ  Ｌｉｇｈｔｉｎｇ，ＬＬＣ社によるＬｕｘｅｏｎ  ＬＥＤのような、好適なパッケージされたＬＥＤは、１センチメートルを超えるか又は１センチメートル未満のオーダーにすることができる。
【０００９】
ＬＥＤを通る電流の大きさが、ＬＥＤの輝度を決定する。異なるＬＥＤを別個に制御するための電流コントローラ１５が、図１に示される。ＬＥＤのための駆動装置は、通常のものであり、ここに詳細に説明する必要はない。本出願の出願人に譲渡され、引用によりここに組み入れられる、Ｓｗａｎｓｏｎ他への米国特許第６，８３６，０８１号は、本実施形態に適したＬＥＤのための駆動装置について記載する。
全ての可視波長のＬＥＤの形成、サブマウント上へのこうしたＬＥＤの取り付け、及びＰＣＢを介するＬＥＤへの電力供給、通常のものであり、詳細に示す必要も、又は説明する必要もない。どちらも本出願の出願人に譲渡され、引用によりここに組み入れられる、Ｓｔｅｉｇｅｒｗａｌｄ他への米国特許第６，８２８，５９６号及びＢｈａｔ他への米国特許第６，８７６，００８号は、ＬＥＤ、サブマウント上へのＬＥＤの取り付け、及びＰＣＢ上へのサブマウントの取り付けについて記載する。
【００１０】
ＬＥＤ１２及び１４は、側面放射レンズ１６がこれらの上に配置され、全反射（ＴＩＲ）によって、半導体チップが放射する光の大部分が、ＬＥＤの側部に外方に向けるようにされている。側面放射レンズ１６は、光の大部分を、例えば、ＬＥＤの上面に対して０〜４５度の範囲内に放射させることができる。側面放射レンズの例は、本出願の出願人に譲渡され、引用によりここに組み入れられる、Ｓｃｏｔｔ  Ｗｅｓｔ他への米国特許第６，５９８，９９８号及び第６，６７９，６２１号に見出される。種々の図は、側面放射レンズ１６の結果、角度が制限されたサンプル光線を示す。
【００１１】
ＬＥＤ１２は、空気にさらされた金属のスラブ又はフィン付き金属などのヒートシンク１８に取り付けられる。ＬＥＤが、テールランプのように長時間にわたって照明できる場合には、ヒートシンクは重要である。したがって、図１において、ＬＥＤ１２は、自動車のヘッドライト又は走行用ライトがオンのときにオンになるテールライトのために用いられると考えられる。ＬＥＤ１４からの熱の除去が必要な場合には、ヒートシンクをＬＥＤ１４の後部に取り付けることもできる。
【００１２】
ＬＥＤ１２及び１４は、リフレクタ２４内に取り付けられるので、両方のＬＥＤの光出力は、リフレクタ２４の焦点付近に生じる。ＬＥＤ１２から放出される光線２０は、リフレクタ２４のほぼ放物線状の壁に反射される。壁は、クロムめっきされたプラスチック又は成形された金属とすることができる。側面放射レンズ１６をより良く示すために、ＬＥＤは、実際のリフレクタにおけるものより、ずっと大きく示されている。テールライトとして、放射される光は、赤色又はオレンジ色であるべきである。したがって、ＬＥＤ１２チップは、オレンジ色及び赤色の波長の光を生成する、リンを有するＩＩＩ族元素及びＶ族元素の組み合わせ（例えば、ＡｌＩｎＧａＰ）のような材料で形成するべきである。
【００１３】
ＬＥＤ１４はリフレクタ２４内に取り付けられるので、ＬＥＤ１４のレンズ１６の上部は、ＬＥＤ１２のレンズ１６の上部に面している。１つの実施形態において、２つのレンズの間の距離は、０ミリメートルから１センチメートルまでの間である。このことにより、ＬＥＤ１２及び１４の両方の光放射が、実質的に、リフレクタ２４の焦点に近い同じ場所から生じることになる。このため、リフレクタ２４から出る光は、地面に対してほぼ平行になる。
ＬＥＤ１４は（そのＰＣＢ及びヒートシンクと共に）、リフレクタ２４の基部に結合された、２つ又はそれ以上の薄いプラスチック又は金属アーム、或いは透明なプラスチック・シリンダによって、リフレクタ２４内の適所に固定することができる。
【００１４】
電流コントローラ１５から電流を供給するために、電源ワイヤが、ＬＥＤ１２及び１４に接続される。電流コントローラ１５は、ＬＥＤの異なる機能を実行するために、種々の実施形態において、電流を各ＬＥＤに個別に提供する。
光線２６は、ＬＥＤ１４によって放射され、地面に対してほぼ平行な角度でリフレクタ２４を出るものとして、示されている。ＬＥＤ１２及び１４からの光は、３６０度の円をなして放射されるが、簡単にするために幾つかの光線だけが示される。
【００１５】
ＬＥＤ１４は、ＬＥＤ１２が放射する色とは異なる色を放射することができる。例えば、ＬＥＤ１４が方向指示灯である場合、ＬＥＤ１４は、琥珀色の光を放射することができる。ＬＥＤ１４がストップライトである場合、ＬＥＤ１４は、ＬＥＤ１２が放射する色とは顕著に異なる赤色又はオレンジ色の光を放射することができる。
リフレクタ２４は、地面に対してほぼ平行であるなど、制限された角度内の輝度を高めることもできる拡散レンズ３０を含むことができる。このようなレンズは、ＬＥＤの光出力を減衰させないように、無色のものにしてもよい。
ＬＥＤのサイズが小さいために、リフレクタ内の２つのＬＥＤのこうした構成が可能となる。２つの白熱電球を向かい合わせに配置すると、フィラメントがあまりにも遠く離れて配置され、リフレクタが、両方の電球からの光を同じ方向に再指向しなくなる。
【００１６】
図２は、自動車用のリアランプ・アセンブリの第２の実施形態を示す。側面放射レンズ１６を備える第１のＬＥＤ３２が、ヒートシンク３４上に取り付けられる。ヒートシンク３４は、リフレクタ３６の基部に結合された、２つ又はそれ以上の金属又はプラスチックの脚部、或いは透明なシリンダなどの何らかの手段によって適所に保持される。側面放射は、リフレクタ３６の壁に反射され、光は、地面に対してほぼ平行な方向にリアランプ・アセンブリから出力される。
【００１７】
第２のリフレクタ３８は、リフレクタ３６の内部に配置され、側面放射レンズ１６を備えるＬＥＤ４０を収容する。ＬＥＤ３２及び４０は、第２のリフレクタ３８の基部に取り付けられた同じヒートシンクを共有する。リフレクタ３８は、リフレクタ３６の中心線と位置合わせされる。リフレクタ３６及び３８の両方が同じ外部レンズ４２を共有してもよく、又は、異なる外観のために、各々のリフレクタの外部レンズが、異なっていてもよい。
ＬＥＤ３２からの反射光は、本質的に、ＬＥＤ４０からの反射光の周りに円を形成する。これらのＬＥＤは、同じ色であっても、又は異なる色であってもよい。１つの実施形態において、ＬＥＤ３２はテールライトであり、ＬＥＤ４０はストップライトである。いずれのＬＥＤも、テールライト、ストップライト、又は方向指示灯とすることができる。
【００１８】
図３は、ＬＥＤ４４及び４６が、それぞれ関連付けられたヒートシンク４８及び５０上に取り付けられた、リアランプ・アセンブリの第３の実施形態を示す。ヒートシンク５０は、外部リフレクタ５２の基部に結合された、金属又はプラスチックの脚部、又は透明なシリンダによって適所に保持することができる。ＬＥＤ４６は、内部リフレクタ５４内に収容される。ランプ・アセンブリの残りは、図２に示されているものに類似している。ＬＥＤ４４及び４６は、テールランプ、ストップライト、及び方向指示灯のいずれかの組み合わせのような２つの異なる機能を実行する。ＬＥＤは、同じ色であっても、又は異なる色であってもよい。
【００１９】
図４は、３つの別個に制御可能なＬＥＤ５６、５８、及び６０を組み込むリアランプ・アセンブリの第４の実施形態を示す。ＬＥＤ５６及び５８は、図１に示されるように互いに向かい合って取り付けられる。ＬＥＤ５６はヒートシンク６２上に取り付けられ、ＬＥＤ５８はヒートシンク６４上に取り付けられる。ヒートシンク６４は、リフレクタ６６の基部に取り付けられた、２つ又はそれ以上の金属又はプラスチックの脚部、或いは透明なシリンダによって適所に保持することができる。
【００２０】
ＬＥＤ６０もまた、ヒートシンク６４上に取り付けられ、小さい方のリフレクタ６８内に配置されるので、リフレクタ６６が放射する光は、リフレクタ６８が放射する光の周りに円を形成する。ＬＥＤ５６及び５８についてリフレクタ６６が放射する光のパターンは、ほぼ同じである。
ＬＥＤ５６及び５８は、同じ色又は異なる色を放射することができる。１つの実施形態において、ＬＥＤ５６は琥珀色の方向指示灯であり、ＬＥＤ５８は赤色のテールランプであり、ＬＥＤ６０は、赤色のストップライトであり、かつ、赤色のテールライトでもある。停止を知らせるために、ＬＥＤ６０に付加的な電流を適用することができる。２つのテールライトＬＥＤ６０及び５８を設けることによって、２つのリフレクタからの光全体がより明るくなり、テールライトが、２つのリフレクタの領域にわたって放射される。このことは、赤色のテールライトと赤色のストップライトからさらに区別する助けになる。
【００２１】
図５は、自動車用のリアランプ・アセンブリの第５の実施形態を示す。ＬＥＤ７２は赤色のテールライトであり、ＬＥＤ７４及び７５は琥珀色の方向指示灯であり、ＬＥＤ７６は、赤色のテールライト及びストップライトの両方の役割を果たす。停止を知らせるために、ＬＥＤ７６に付加的な電流を適用することができる。
ＬＥＤ７２、７４及び７５は、比較的大きいリフレクタ８２の基部に取り付けられ、ＬＥＤ７６は、両方のリフレクタの中心軸に沿ってリフレクタ８２に取り付けられた小さい方のリフレクタ８４の基部に取り付けられる。全てのＬＥＤは、側面放射レンズを含む。ＬＥＤは、それぞれのヒートシンク７８及び８０に熱的に結合される。ＬＥＤ７２、７４及び７５は、同じＰＣＢ上に取り付けることができる。ＬＥＤ７２、７４及び７５は、三角形のパターンに又は線形に取り付けることができる。これらのＬＥＤは、できる限り中心軸に近接して取り付けられるので、各ＬＥＤからの光は、リフレクタにより同様に反射される。中心線へのＬＥＤのこうした近接性により、１つのリフレクタ内のＬＥＤが、他方のリフレクタ内の１つ又はそれ以上のＬＥＤと実質的に同軸上に位置合わせされる。
【００２２】
ヒートシンク７８上に取り付けられたＬＥＤ７２、７４及び７５は、２つ又はそれ以上のプラスチック・フランジ８６を用いて、ヒートシンク又はＰＣＢをリフレクタ８２の基部にスナップ嵌めすることによって、リフレクタ８２内の適所に固定することができる。フランジ８６は、リフレクタ８２の基部の開口部の周りに存在する。同じ又は異なる技術を用いて、ＬＥＤ７６及びヒートシンク８０をリフレクタ８４内に取り付けることができる。ヒートシンクは、如何なる形態をとってもよい。
小さい方のリフレクタ８４は、リフレクタ８２に結合されたプラスチック支持部８８によって適所に固定することができる。プラスチック支持部８８は、透明なシリンダ（又は層状のシリンダ）としてもよく、又は柱で構成してよい。中空のプラスチック・チューブ９０をＬＥＤ７６につながるワイヤ８２のための導管として用いることもできる。
内部リフレクタは、反射壁を有するカップとすることができ、又は壁への反射が全反射（ＴＩＲ）によるものである中実の透明なポリマーとすることもできる。
【００２３】
ＬＥＤ７６の中心線に沿って放射された光点がリフレクタ８４の中心で見えないことを保証するために、小さい円形のリフレクタ９３が、ＬＥＤ７６の上に配置され、透明なシリンダ９４によって適所に保持される。小さいリフレクタ９３は、最終的にリフレクタ８４に反射するように、光を下方に再指向させる。
上述のリアランプ・アセンブリは、透明な前レンズを有するプラスチック・ハウジング内に収容することができ、該プラスチック・ハウジングは、ねじ又は他のファスナを用いて、該ハウジングを車両のフレームに固定するためのフランジを有する。
【００２４】
種々の設計の組み合わせが可能である。自動車のギアがバックに入れられたときのバックライトのような、付加的な輝度又は付加的な機能のためのリフレクタのいずれか１つの中に、付加的なＬＥＤを含ませることもできる。青色ＬＥＤの上に１つ又はそれ以上のリン層を用いる１つ又はそれ以上の白色ＬＥＤが、バックライトに好適である。バックライトは、図に示されるＬＥＤの１つとすることもできる。
図に示されるリフレクタは、円形、長円形、又は矩形のような、如何なる形状にしてもよい。
【００２５】
図６は、外部レンズが光の放射をさらに成形する、内部レンズ１６及び外部レンズ９６のようなレンズの組み合わせを有するＬＥＤ９５の側面図である。成形された放射は、より狭い側面放射とすることができる。
多数の機能が単一のリフレクタの開口部内で実行されるので、説明されたリアランプ・アセンブリは、極めてコンパクトで、安価なものにすることができる。ＬＥＤは、白熱電球より生成する熱が少ないので、放熱はより簡単である。さらに、側面放射レンズ１６により、光は、ＬＥＤの側部の周りに放射されるだけなので、別のＬＥＤからの如何なる光もブロックすることなく、１つ又はそれ以上の他のＬＥＤを同軸上に取り付けることができる。リフレクタの出力における拡散レンズにより、放射された光のプロファイルを、従来技術の光のプロファイルと比べて容易に均一にすることができ、興味深く魅力的な照明がもたらされる。
【００２６】
本発明を詳細に説明してきたが、当業者であれば、本開示が与えられた場合、ここに説明される本発明の精神及び概念から逸脱することなく、本発明に変更をなし得ることを理解するであろう。例えば、本発明に従って、赤色、緑色、及び青色以外のＬＥＤの色をバックライトに用いることができる。したがって、本発明の範囲は、示され説明された特定の実施形態に制限されることを意図しない。
【図面の簡単な説明】
【００２７】
【図１】互いに向かい合う２つのＬＥＤを用いるリアランプ・アセンブリの第１の実施形態の断面図である。
【図２】背中合わせに取り付けられた、共通のヒートシンクを共有する２つのＬＥＤを用いるリアランプ・アセンブリの第２の実施形態の断面図である。
【図３】一方のＬＥＤが比較的大きいリフレクタ内に配置され、もう一方のＬＥＤが大きいリフレクタ内のより小さいリフレクタ内に取り付けられた、２つのＬＥＤを用いるリアランプ・アセンブリの第３の実施形態の断面図である。
【図４】２つのＬＥＤが比較的大きいリフレクタ内に互いに向かい合うように取り付けられ、第３のＬＥＤはより大きいリフレクタ内のより小さいリフレクタ内に取り付けられた、３つのＬＥＤを用いるリアランプ・アセンブリの第４の実施形態の断面図である。
【図５】３つのＬＥＤが比較的大きいリフレクタ内に取り付けられ、他の３つのＬＥＤと同じ方向に取り付けられた第４のＬＥＤがより大きいリフレクタ内のより小さいリフレクタ内に取り付けられた、４つのＬＥＤを用いるリアランプ・アセンブリの第５の実施形態の断面図である。
【図６】光の側面放射角度を低減させることなどによって光出力を最適化するために、ＬＥＤからの光の放射にさらなる影響を与えるためのドーム型レンズを有するＬＥＤパッケージの側面図である。
【符号の説明】
【００２８】
１２、１４、３２、４０、４４、４６、５６、５８、６０、７２、７４、７５、７６、９５  ＬＥＤ
１５  電流コントローラ
１６  側面放射レンズ
１８、３４、４８、５０、６２、６４、７８、８０  ヒートシンク
２４、３６、３８、５２、５４、６６、６８、８２、８４、９３  リフレクタ
３０  拡散レンズ
４２、９６  外部レンズ
８２  ワイヤ
８６  フランジ
８８  支持部
【図１】
2008053235.tif 000003
【図２】
2008053235.tif 000004
【図３】
2008053235.tif 000005
【図４】
2008053235.tif 000006
【図５】
2008053235.tif 000007
【図６】
2008053235.tif 000008
【外国語明細書】
2008053235.tif 000009
2008053235.tif 000010
2008053235.tif 000011
2008053235.tif 000012
2008053235.tif 000013
2008053235.tif 000014
2008053235.tif 000015
2008053235.tif 000016
2008053235.tif 000017
2008053235.tif 000018
2008053235.tif 000019
2008053235.tif 000020
2008053235.tif 000021
2008053235.tif 000022
2008053235.tif 000023
2008053235.tif 000024
2008053235.tif 000025